(57)【特許請求の範囲】
【請求項１】
一方の建物の外壁躯体に外方へ突出するように形成された一方の支持台と、この一方の支持台の先端部と目地部を介して他方の建物の外壁躯体に該目地部の幅寸法よりわずかに大きい寸法分だけ突出するように形成された他方の支持台と、この他方の支持台上に隙間が生じない並列状態で取付けられた複数個の支持筒、この複数個の支持筒より先端部が常時外方へ突出するようにスライド移動可能に取付けられた複数個のスライド支持体とからなる目地プレート支持体と、この目地プレート支持体の複数個の支持筒上に支持された他方の目地プレートと、前記目地プレート支持体の複数個のスライド支持体上に支持された一方の目地プレートと、地震により目地部が狭くなるように揺れ動いた場合に、前記一方の目地プレートあるいは他方の目地プレート上へ先端部がせり上がるように移動させる移動手段とからなり、該移動手段は一方の目地プレートあるいは他方の目地プレートの先端部に形成された相手側の目地プレートを上方へせり上げるための傾斜面と、この上方へせり上げられる目地プレートの後端部を上下移動可能に支持台あるいは支持筒の後端部に支持させる支持機構とで構成されていることを特徴とする床用目地装置。
【発明の詳細な説明】
【技術分野】
【０００１】
本発明は一方の建物の外壁と他方の建物の外壁との間に設ける床用目地装置に関する。
【背景技術】
【０００２】
この種の床用目地装置は一方の建物の外壁と他方の建物の外壁との間に必要な目地部を確保し、該目地部を地震の揺れ動きを吸収できるように覆うためには、目地部の幅寸法の約３倍の幅寸法を確保することができなければ目地プレートが建物の外壁に衝突したり、目地プレートの先端部を支持する支持台より脱落してしまうなどの欠点があり、設置することができなかった。
【特許文献１】特になし
【発明の開示】
【発明が解決しようとする課題】
【０００３】
本発明は以上のような従来の欠点に鑑み、目地部の幅寸法の約２倍の幅寸法を確保することで設置することが可能で、目地寸法分だけ伸縮する揺れ動きを確実に吸収することができる床用目地装置を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は一方の建物の外壁躯体に外方へ突出するように形成された一方の支持台と、この一方の支持台の先端部と目地部を介して他方の建物の外壁躯体に該目地部の幅寸法よりわずかに大きい寸法分だけ突出するように形成された他方の支持台と、この他方の支持台上に隙間が生じない並列状態で取付けられた複数個の支持筒、この複数個の支持筒より先端部が常時外方へ突出するようにスライド移動可能に取付けられた複数個のスライド支持体とからなる目地プレート支持体と、この目地プレート支持体の複数個の支持筒上に支持された他方の目地プレートと、前記目地プレート支持体の複数個のスライド支持体上に支持された一方の目地プレートと、地震により目地部が狭くなるように揺れ動いた場合に、前記一方の目地プレートあるいは他方の目地プレート上へ先端部がせり上がるように移動させる移動手段とからなり、該移動手段は一方の目地プレートあるいは他方の目地プレートの先端部に形成された相手側の目地プレートを上方へせり上げるための傾斜面と、この上方へせり上げられる目地プレートの後端部を上下移動可能に支持台あるいは支持筒の後端部に支持させる支持機構とで床用目地装置を構成している。
【発明の効果】
【０００６】
以上の説明から明らかなように、本発明にあっては次に列挙する効果が得られる。
【０００７】
（１）一方の建物の外壁と他方の建物の外壁間が必要とする目地部の幅寸法のほぼ２倍以上あれば、目地プレート支持体、一方の目地プレート、他方の目地プレートおよび移動手段とからなる床用目地装置で、目地部の幅寸法分の伸縮する揺れ動きを吸収することができる。
したがって、従来、外壁間の隙間が小さくて設置できなかった所にでも設置して、使用することができる。
【０００８】
（２）前記（１）によって、目地プレート支持体上に一方の建物の外壁と他方の建物の外壁との間のほぼ半分の寸法の一方の目地プレートと他方の目地プレートを設けるので、構造が簡単で、容易に設置することができる。
【０００９】
（３）前記（１）により、他方の支持台上に隙間が生じない並列状態で取付けられた複数個の支持筒と、この複数個の支持筒より先端部が常時外方へ突出するようにスライド移動可能に取付けられた複数個のスライド支持体とからなる目地プレート支持体を用いているので、複数個のスライド支持体間の隙間を安全に使用できる小さな隙間に設定することができる。
したがって、目地部が大きくなるように揺れ動いて、目地プレート支持体が一方の目地プレートと他方の目地プレート間に現れても、目地部へ落下するなどの不具合を確実に防止することができる。
【発明を実施するための最良の形態】
【００１０】
以下、図面に示す本発明を実施するための最良の形態により、本発明を詳細に説明する。
【００１１】
図１ないし図９に示す本発明を実施するための最良の第１の形態において、１は一方の建物２の外壁面３と他方の建物４の外壁面５との間に、必要とする目地部６の幅寸法（Ｌ）の約２倍以上の寸法があれば設置することができる本発明の床用目地装置で、この床用目地装置１は前記一方の建物２の外壁躯体３ａより目地部６側へ約１００ミリメートル階段状に突出するように形成された一方の支持台７と、この一方の支持台７の先端部と約５００ミリメートルの目地部６を介して他方の建物４の外壁躯体５ａに、該目地部６の幅寸法５００ミリメートルよりもわずかに大きい寸法、約７００ミリメートル突出するように形成された他方の支持台８と、この他方の支持台８上に隙間が生じない並列状態で、後端部と他方の建物４の外壁面５との間に少しの隙間が生じるように固定された複数個の支持筒９、この複数個の支持筒９より先端部が付勢スプリング１０で常時外方へ突出され、前記一方の支持台７の先端部にガイド斜面１１を有する下部支持部１２に支持されるスライド移動可能に取付けられた、隙間が５〜８ミリメートルぐらいの間隔となる複数個のスライド支持体１３、このスライド支持体１３の後端部の上部に取付けられた、前記支持筒９の上部内壁面９ａと当接して転動する上部ローラ１４、前記複数個の支持筒９の先端部の下部内壁面９ｂに取付けられた前記スライド支持体１３の底面１３ａと当接して転動する下部ローラ１５とからなる目地プレート支持体１６と、この目地プレート支持体１６の複数個の支持筒９上に支持された浅皿状の目地プレート本体１７ａ、この目地プレート本体１７ａ内に充填されたモルタル１７ｂとからなる他方の目地プレート１７と、前記目地プレート支持体１６の複数個のスライド支持体１３上に目地部が広くなると支持される後端部が前記一方の支持台７の上部支持部１８に複数本のピン１９で固定され、先端部が前記目地プレート支持体１６の複数個の支持筒９の先端部寄りに支持される浅皿状の目地プレート本体２０ａ、この目地プレート本体２０ａ内に充填されたモルタル２０ｂとからなる一方の目地プレート２０と、地震により目地部６が狭くなるように揺れ動いた場合に、前記一方の目地プレート２０の先端部上に前記他方の目地プレート１７をせり上がるように移動させる移動手段２１と、前記他方の目地プレート１７の先端部の上部にヒンジ部材２２を介して、該他方の目地プレート１７の先端部と前記一方の目地プレート２０との間を覆い、ほぼ水平状態で係止されるカバープレート２３とで構成されている。
【００１２】
前記移動手段２１は前記他方の目地プレート１７の後端部に上下移動可能に取付けられた他方の支持台８の外壁面５寄りに固定された上部が、該他方の目地プレート１７の上面に位置する複数個のボルト２４、この複数個のボルト２４が貫通する前記他方の目地プレート１７の後端下部に外方へ突出するボルト挿入孔２５が形成された取付板２６とからなる上下移動支持機構２７と、前記他方の目地プレート１７の先端下部に形成された傾斜面２８と、前記一方の目地プレート２０の先端部に形成された先端部が前記傾斜面２８内へ入り込み、他方の目地プレート１７を押し上げることができる傾斜面２９、３０を有する山形状の突起部３１とで構成されている。
なお、４１は目地部６が広くなった場合、目地プレート支持体１６のスライド支持体１３が抜け脱するのを防止するストッパーで、このストッパー４１は一端がスライド支持体１３の先端部よりの下部に取付けられ、多端が他方の支持台８の先端に取付けられたワイヤー４２で構成されている。
また、ストッパーはスライド支持体１３が支持筒９の先端部より脱落しないように構成したものであれば、どんな構成であっても良い。
【００１３】
上記構成の床用目地装置１は、平常時には一方の目地プレート２０は一方の支持台７と目地プレート支持体１６の複数個の支持筒９に支持されるとともに、他方の目地プレート１７は目地プレート支持体１６の複数個の支持筒９に支持された状態となる。
【００１４】
地震により目地部６が最大に広くなった場合には、図８に示すように目地部６が通常時の２倍の幅になり、目地プレート支持体１６の複数個のスライド支持体１３の先端部は一方の支持台７の下部支持部１２より離れた状態となり、一方の目地プレート２０の先端部を支持した状態となり、一方の目地プレート２０と他方の目地プレート１７とが離れて隙間が生じるが、下部に複数個のスライド支持体６が位置して、目地部６が開口するような不具合を確実に防止することができる。
目地部６が狭くなって元の状態に戻ろうとする時、一方の目地プレート２０の先端部の突起部３１の下部側の傾斜面３０によって、複数個のスライド支持体１３と支持筒９との段差３２をスムーズに通過して、自動的に元の状態へ戻る。
【００１５】
目地部が最小になる場合は、図９に示すように一方の目地プレート２０の先端部が他方の目地プレート１７の下部へ進入して、他方の目地プレート１７を押し上げ、その揺れ動きを吸収する。
［発明を実施するための異なる形態］
【００１６】
次に、図１０ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１７】
図１０ないし図１２に示す本発明を実施するための第２の形態において、前記本発明を実施するための最良の第１の形態と主に異なる点は、複数個のスライド支持体１３をスムーズにスライド移動させるために上部のローラと下部のローラとの代わりにスベリ材３３、３４を用いた目地プレート支持体１６Ａと、先端部全体に傾斜面３５が形成された他方の目地プレート１７Ａを用いた点で、このように構成した床用目地装置１Ａにしても、前記本発明を実施するための最良の第１の形態と同様な作用効果が得られる。
【００１８】
図１３ないし図１５に示す本発明を実施するための第３の形態において、前記本発明を実施するための最良の第１の形態と主に異なる点は、先端部の上綿が傾斜面３６に形成され、他方の支持台８あるいは目地プレート支持体１６の複数個の支持筒９に固定された他方の目地プレート１７Ｂと、先端部の下面に傾斜面３７が形成され、上下移動可能に一方の支持台７に取付けられた一方の目地プレート２０Ａを用いた点で、このように構成された床用目地装置１Ｂにしても、前記本発明を実施するための最良の第１の形態と同様な作用効果が得られる。
【００１９】
図１６ないし図１８に示す本発明を実施するための第４の形態において、前記本発明を実施するための第３の形態と主に異なる点は、先端下部にだけ傾斜面２９を形成した一方の目地プレート２０Ｂを用いた点で、このような一方の目地プレート２０Ｂを用いて構成した床用目地装置１Ｃにしても、前記本発明を実施するための第３の形態と同様な作用効果が得られる。
【００２０】
図１９ないし図２３に示す本発明を実施するための第５の形態において、前記本発明を実施するための第４の形態と主に異なる点は、先端部側の上面が順次下方へ傾斜する傾斜面３８に形成された複数個のスライド支持体１３Ａを用いた目地プレート支持体１６Ｂと、この目地プレート支持体１６Ｂの複数個のスライド支持体１３Ａの上面に面接触する底面が傾斜面３９に形成された一方の目地プレート２０Ｃを用いた点で、このように構成された床用目地装置１Ｄは複数個のスライド支持体１３Ａの先端部の上部が傾斜面３８のないものに比べ、下方に位置するため、目地部６が非常に狭くなるまでは他方の目地プレート１７Ｂの先端上部に支持される一方の目地プレート２０Ｃの重心が後部側に位置して、一方の目地プレート２０Ｃが他方の目地プレート１７Ｂ上に急に位置するような回動がなく、無理なくスムーズに一方の目地プレート２０Ｃを他方の目地プレート１７Ｂにせり上がらせることができる。
【００２１】
図２４ないし図２７に示す本発明を実施するための第６の形態において、前記本発明を実施するための第５の形態と主に異なる点は、底面中央部より後方へ順次下方へ傾斜する傾斜面４０を形成した一方の目地プレート２０Ｄを用いた点で、このように形成された一方の目地プレート２０Ｄを用いて構成した床用目地装置１Ｅにしても、前記本発明を実施するための第５の形態と同様な作用効果が得られるとともに、目地部６が狭くなるような揺れ動き時に、図２６に示すように一方の目地プレート２０Ｄの先端部が大きく上方へ突出するのを効率よく阻止することができる。
【産業上の利用可能性】
【００２２】
本発明は床用目地装置を製造する産業で利用される。
【図面の簡単な説明】
【００２３】
【図１】本発明を実施するための最良の第１の形態の平面図。
【図２】図１の２−２線に沿う断面図。
【図３】図２の要部拡大図。
【図４】本発明を実施するための最良の第１の形態の目地プレート支持体の説明図。
【図５】図４の５−５線に沿う拡大断面図。
【図６】本発明を実施するための最良の第１の形態の一方の目地プレートの説明図。
【図７】本発明を実施するための最良の第１の形態の他方の目地プレートの説明図。
【図８】本発明を実施するための最良の第１の形態の目地部が最大に広くなった動作説明図。
【図９】本発明を実施するための最良の第１の形態の目地部が最小になった動作説明図。
【図１０】本発明を実施するための第２の形態の平面図。
【図１１】図１０の１１−１１線に沿う断面図。
【図１２】本発明を実施するための第２の形態の目地部が最小になった動作説明図。
【図１３】本発明を実施するための第３の形態の平面図。
【図１４】図１３の１４−１４線に沿う断面図。
【図１５】本発明を実施するための第３の形態の目地部が最小になった動作説明図。
【図１６】本発明を実施するための第４の形態の平面図。
【図１７】図１６の１７−１７線に沿う断面図。
【図１８】本発明を実施するための第４の形態の目地部が最小になった動作説明図。
【図１９】本発明を実施するための第５の形態の平面図。
【図２０】図１９の２０−２０線に沿う断面図。
【図２１】本発明を実施するための第５の形態の目地部が狭くなった動作説明図。
【図２２】本発明を実施するための第５の形態の目地部が非常に狭くなった動作説明図。
【図２３】本発明を実施するための第５の形態の目地部が広くなった動作説明図。
【図２４】本発明を実施するための第６の形態の平面図。
【図２５】図２４の２５−２５線に沿う断面図。
【図２６】本発明を実施するための第６の形態の目地部が狭くなった動作説明図。
【図２７】本発明を実施するための第６の形態の目地部が広くなった動作説明図。
【符号の説明】
【００２４】
１、  、１Ａ、１Ｂ、１Ｃ、１Ｄ、１Ｅ：床用目地装置、
２：一方の建物、              ３：外壁面、
４：他方の建物、              ５：外壁面、
６：目地部、                    Ｌ：幅寸法、
７：一方の支持台、            ８：他方の支持台、
９：支持筒、                  １０：付勢スプリング、
１１：ガイド傾斜面、          １２：下部支持部、
１３、１３Ａ：スライド支持体、１４：上部ローラ、
１５：下部ローラ、
１６、１６Ａ、１６Ｂ：目地プレート支持体、
１７、１７Ａ、１７Ｂ：他方の目地プレート、
１８：上部支持部、            １９：ピン、
２０、２０Ａ、２０Ｂ、２０Ｃ、２０Ｄ：一方の目地プレート、
２１：移動手段、              ２２：ヒンジ部材、
２３：カバープレート、        ２４：ボルト、
２５：ボルト挿入孔、          ２６：取付板、
２７：上下移動支持機構、      ２８：傾斜面、
２９：傾斜面、                ３０：傾斜面、
３１：突起部、                ３２：段部、
３３：スベリ材、              ３４：スベリ材、
３５：傾斜面、                ３６：傾斜面、
３７：傾斜面、                ３８：傾斜面、
３９：傾斜面、                ４０：傾斜面。
【図１】
0005226349.tif 000002
【図２】
0005226349.tif 000003
【図３】
0005226349.tif 000004
【図４】
0005226349.tif 000005
【図５】
0005226349.tif 000006
【図６】
0005226349.tif 000007
【図７】
0005226349.tif 000008
【図８】
0005226349.tif 000009
【図９】
0005226349.tif 000010
【図１０】
0005226349.tif 000011
【図１１】
0005226349.tif 000012
【図１２】
0005226349.tif 000013
【図１３】
0005226349.tif 000014
【図１４】
0005226349.tif 000015
【図１５】
0005226349.tif 000016
【図１６】
0005226349.tif 000017
【図１７】
0005226349.tif 000018
【図１８】
0005226349.tif 000019
【図１９】
0005226349.tif 000020
【図２０】
0005226349.tif 000021
【図２１】
0005226349.tif 000022
【図２２】
0005226349.tif 000023
【図２３】
0005226349.tif 000024
【図２４】
0005226349.tif 000025
【図２５】
0005226349.tif 000026
【図２６】
0005226349.tif 000027
【図２７】
0005226349.tif 000028